(57)【要約】【課題】    フェンスあるいは塀等の上面に、メッシュパネル２から成る忍返体１を取付けるに当り、忍返体１が取付けられるフェンスあるいは塀等の上面の幅に関係無く、忍返体１を安定して取付けることができ、しかもフェンスの支柱が上胴縁の上面より上方に突出していても、そのまま支柱の上方に取付けることのできる忍返体１を提供する。【解決手段】    縦線材２Ａと横線材２Ｂを格子状に配設したメッシュパネル２から成る忍返体１であって、忍返体１は少なくとも２枚のメッシュパネル２を有し、各メッシュパネル２の縦線材２Ａを交差すると共に、各メッシュパネル２の横線材２Ｂを相互回動自在に軸支して連結し、各メッシュパネル縦線材２Ａの交差角度を変更して脚部１２の幅を可変とする。【選択図】        図１
2007146503.tif 000002
【特許請求の範囲】
【請求項１】
縦線材と横線材を格子状に配設したメッシュパネルから成る忍返体であって、忍返体は少なくとも２枚のメッシュパネルを有し、各メッシュパネルの縦線材を交差すると共に、各メッシュパネルの横線材を相互回動自在に軸支して連結し、各メッシュパネル縦線材の交差角度を変更して脚部の幅を可変としたことを特徴とする忍返体。
【請求項２】
縦線材と横線材を格子状に配設したメッシュパネルから成る忍返体であって、忍返体は少なくとも２枚のメッシュパネルを有し、各メッシュパネルの縦線材を交差すると共に、各メッシュパネル縦線材の交差角度を保持して連結し、各メッシュパネル縦線材の長手方向における相互位置を変更して脚部の幅を可変としたことを特徴とする忍返体。
【発明の詳細な説明】
【技術分野】
【０００１】
この発明は、縦線材と横線材を格子状に連結したメッシュパネルから成る忍返体に関するものであり、フェンスあるいは塀等の上面に簡単且つ安定して取付けることのできる忍返体に関するものである。
【背景技術】
【０００２】
従来、侵入者によるフェンス、塀等の乗り越えを防止するために、フェンス、塀等の上面に取付けられる忍返体が提案されている。
特許文献１には、フェンス上胴縁の上面に鋸歯状ガードプレートを設けた金網フェンスが開示されており、鋸歯状ガードプレートによって外部からの侵入を阻止できるものである。
さらに、特許文献２，３においては、縦横の線材を格子状に連結したメッシュパネルから成るフェンスを構成し、該フェンスの上部に同じくメッシュパネルによって形成された忍返体を設け、外部からの侵入を阻止するものである。
【０００３】
しかしながら、特許文献１に記載のフェンスにおいては、ガードプレートはフェンスの上胴縁に固定しているため、フェンスの支柱が上胴縁より上方に突出する場合には、支柱の上面にガードプレートを設けることができないものであった。
フェンスの上胴縁と支柱の上面に忍返体を架設するとなると、支柱との高低差に相当するスペーサーを介して忍返体を上胴縁に取付けるか、あるいは支柱の上方に位置する忍返体の下部に切欠部を形成し、当該切欠部に支柱上端を嵌合する等、忍返体の取付作業が煩雑となるものであった。
【０００４】
通常、忍返体の被着部となるフェンス、塀等の上面における幅は、フェンスの種類あるいは塀を形成するブロックの種類によって変化するため、忍返体の幅とフェンス等の上面の幅がずれていると、外観が悪化するばかりか、忍返体を安定して取付けることができないものであった。そのため、フェンス等の上面の幅に合わせた忍返体を複数用意しなければならないという難点があった。
【０００５】
特許文献２，３に記載されたメッシュパネルのフェンスにおいては、メッシュパネルの忍返体を保持するために、通常のフェンスの支柱より長い専用支柱を用いなければならないものであった。また、忍返体が突出する方向に沿って支柱が設けられているため、この支柱を手掛りとして忍返体が乗り越えられる虞を有するものであり、防犯上好ましいものではない。
【０００６】
【特許文献１】特開２００５−１２０７４４号公報
【特許文献２】実開昭５７−５４５６８号公報
【特許文献３】特開２００４−１０７９３５号公報
【発明の開示】
【発明が解決しようとする課題】
【０００７】
本発明の目的は、フェンスあるいは塀等の上面に、メッシュパネルから成る忍返体を取付けるに当り、忍返体が取付けられるフェンスあるいは塀等の上面の幅に関係無く、忍返体を安定して取付けることができ、しかもフェンスの支柱が上胴縁の上面より上方に突出していても、そのまま支柱の上方に取付けることのできる忍返体を提供することにある。
【課題を解決するための手段】
【０００８】
本発明者は、このような事情に鑑み鋭意検討を重ねた結果、縦線材と横線材を格子状に配設したメッシュパネルから成る忍返体であって、忍返体は少なくとも２枚のメッシュパネルを有し、各メッシュパネルの縦線材を交差すると共に、各メッシュパネルの横線材を相互回動自在に軸支して連結し、各メッシュパネル縦線材の交差角度を変更して脚部の幅を可変としたことによって、所期の目的を達成したものである。
【０００９】
さらに請求項２に記載の忍返体は、縦線材と横線材を格子状に配設したメッシュパネルから成る忍返体であって、忍返体は少なくとも２枚のメッシュパネルを有し、各メッシュパネルの縦線材を交差すると共に、各メッシュパネル縦線材の交差角度を保持して連結し、各メッシュパネル縦線材の長手方向における相互位置を変更して脚部の幅を可変としたことによって、所期の目的を達成したものである。
【発明の効果】
【００１０】
本発明の忍返体によれば、脚部の幅を可変としているので、忍返体を取付けるフェンスあるいは塀の上面の幅に合わせて脚部の幅を調節し、フェンスあるいは塀の上面に忍返体を体裁良く安定して取付けることができる。また、支柱の上端が上胴縁よりも上方に突出しているフェンスであっても、脚部を支柱に被せて取付けることができるので、忍返体に加工を施すことなく取付けることができると共に、支柱の上方にも忍返を形成することができ防犯効果を高めることができる。
【発明を実施するための最良の形態】
【００１１】
以下、本発明を実施するための最良の形態を実施例に基づき説明する。
図１乃至６は請求項１に記載された本発明忍返体の第一実施例であり、図中１は忍返体を表わし、忍返体１は、縦線材２Ａと横線材２Ｂを格子状に連結したメッシュパネル２によって形成されている。メッシュパネル２は中間部に折曲部２１が、上方部には忍返部２２が形成され、忍返部２２は縦線材２Ａの途中箇所を切断して形成している。さらに、下方部には取付部２３が形成され、取付部２３には横線材２Ｂが配設されている。このような構成からなるメッシュパネル２を２枚用意し、夫々のメッシュパネル２の縦線材２Ａを交差して連結している。
【００１２】
忍返体１におけるメッシュパネル２の交差部１１には、夫々のメッシュパネル２の中間位置に配設した横線材２Ｂが位置しており、これら横線材２Ｂを連結金具３によって軸支することにより、二つのメッシュパネル２が相互回動自在に連結される。連結金具３は金属製板材を加工して形成され、連結部３１を折曲して上側押え面３２と下側押え面３３とを対向させ、上側押え面３２と下側押え面３３の間に横線材２Ｂを配置する。上側押え面３２に形成した透孔３２１に挿通した螺子部材４を、下側押え面３３に設けた螺子孔３３１に螺入することによって、上側押え面３２と下側押え面３３の間に横線材２Ｂを挟着する。
なお、透孔３２１は長孔状を呈しており、上側押え面３２と下側押え面３３を折曲した際に、透孔３２１と螺子孔３３１の位置が多少ずれていても、螺子部材４を螺子孔３３１に螺入することができる。
【００１３】
螺子部材４を緩く締結した状態では、２枚のメッシュパネル２が交差部１１に位置する横線材２Ｂを中心として相互回動自在であり、メッシュパネル２を回動することにより、忍返体１の脚部１２の幅、換言すれば交差するメッシュパネル２の取付部２３，２３の間隔を変更することができる（図６参照）。
図中１３はメッシュパネル２の忍返部２２によって形成された忍返体１の頭部であり、脚部１２の幅に応じて頭部１３の幅も変化する。即ち、脚部１２の幅が大きくなると、頭部１３の幅も大きくなる。
【００１４】
図２はメッシュパネルフェンス５の上端に忍返体１を取付けた状態を表わし、忍返体１の脚部１２をメッシュパネルフェンス５の上胴縁５１の幅に合わせて調節し、メッシュパネル２の取付部２３に位置する横線材２Ｂを取付金具６によって、上胴縁５１の側方に位置する横線材５Ｂに取付け、メッシュパネルフェンス５への忍返体１の取付けが完了する。なお、取付金具６は、連結金具３と同じ部品を使用している。
メッシュパネルフェンス５への取付けが完了した後、連結金具３の螺子部材４を強く締結することにより、交差部１１における横線材２Ｂの回動が阻止され、メッシュパネルフェンス５の上端に忍返体１を強固に取付けることができる。
【００１５】
上記忍返体１によれば、忍返体１は２枚のメッシュパネル２が交差部１１において、相互回動自在に連結しているので、忍返体１の被着部となるメッシュパネルフェンス５の上面の幅に合わせて忍返体１の脚部１２の幅を調節し、メッシュパネルフェンス５の上面に体裁良く安定して取付けることができる。
また、メッシュパネルフェンス５を支持する支柱７が、上胴縁５１より上方に突出していも、支柱７の上端が忍返体１の交差部１１と脚部１２によって形成される空間部１４内に位置するので、支柱７の上方から忍返体１を被せて取付けることができ、支柱７の上方位置において忍返体１が分断することなく、連続して忍返体１を設置することができ、防犯効果を高めることができる。
【００１６】
図７乃至９は請求項２に記載した本発明忍返体の第二実施例であり、第一実施例と同一部分については同一符号を用い、その説明を省略する。第一実施例においては二つのメッシュパネル２を連結金具３によって相互回動自在に連結したが、第二実施例においては、メッシュパネル２の交差角度を変えずに、忍返体１の脚部１２の幅を変更するものである。
【００１７】
忍返体１の交差部１１には、連結金具８が設けられている。連結金具８は金属板材を加工して形成され、連結部８１を介して第一の保持面８２と第二の保持面８３が対向して配置される。第一の保持面８２と第二の保持面８３には、メッシュパネル２の縦線材２Ａが嵌合する保持溝８２Ａ，８３Ａが形成されている。保持溝８２Ａ，８３Ａは縦線材２Ａの傾斜角度に合わせて形成されており、二つのメッシュパネル２の縦線材２Ａを交差した状態において、保持溝８２Ａ，８３Ａに交差部１１に位置する縦線材２Ａ，２Ａを夫々嵌合する。第一の保持面８２に形成した透孔８２１を挿通する螺子部材９を、第二の保持面８３に形成した螺子孔８３１に螺入して締結することによって、二つのメッシュパネル２を連結することができる。
【００１８】
なお、第一実施例と同様に、取付部２３に位置する横線材２Ｂをフェンスあるいは塀等に固定した後、螺子部材９を強く締結して連結金具８による固定を完了すれば良い。忍返体１の脚部１２の幅を変更したい場合は、保持溝８２Ａ，８３Ａに沿って縦線材２Ａをスライドさせ、交差している縦線材２Ａ，２Ａの長手方向における相互位置を変更することにより、縦線材２Ａ，２Ａの交差角度を変えずに、忍返体１の脚部１２の幅を変更することができる（図９参照）。
【００１９】
第一実施例の忍返体１においては、縦線材２Ａ，２Ａの交差角度を変化させると、忍返体１の全体高さが変化するが、第二実施例においては、二つのメッシュパネル２の縦線材２Ａの交差角度を変えずに、縦線材２Ａをスライドさせて脚部１２の幅を変更し得るので、忍返体１の高さを変えることなく、幅の異なるフェンスあるいは塀の上面に忍返体１を取付けることができる。なお、第一実施例と異なり、脚部１２の幅が大きくなると、頭部１３の幅は小さくなる。
【００２０】
上記実施例において、忍返体１をメッシュパネルフェンス５の上面に取付けた例について説明したが、アルミニウム押出し形材あるいは木材によって形成したフェンスにも取付可能である。この場合、取付金具６をフェンスの材質あるいは表面形状に合わせて適宜変更すれば良い。
また、忍返体１を形成するメッシュパネル２の中間部に折曲部２１を形成したが、折曲部２１のない平面状のメッシュパネル２を用いても構わない。さらに、二枚のメッシュパネル２を交差して忍返体１を形成したが、形は異なるが中央に三つ目のメッシュパネルを配置し、三枚のメッシュパネルを交差して連結しても構わない。
【図面の簡単な説明】
【００２１】
【図１】本発明第一実施例の忍返体側面図
【図２】忍返体をフェンスに取付けた状態を表わす要部拡大側面図
【図３】忍返体をフェンスに取付けた状態を表わす要部拡大正面図
【図４】忍返体をフェンスに取付けた状態を表わす正面図
【図５】第一実施例における連結金具の（Ａ）平面図と（Ｂ）正面図と（Ｃ）側面図
【図６】第一実施例における忍返体の脚部の幅を変化した状態を表わす側面図
【図７】本発明第二実施例の忍返体側面図
【図８】第二実施例における連結金具の（Ａ）正面図と（Ｂ）側面図
【図９】第二実施例における忍返体の脚部の幅を変化した状態を表わす側面図
【符号の説明】
【００２２】
１      忍返体
２      メッシュパネル（忍返体）
２Ａ      縦線材（忍返体）
２Ｂ      横線材（忍返体）
３      連結金具
５      フェンスパネル
５Ａ      縦線材（フェンスパネル）
５Ｂ      横線材（フェンスパネル）
１２      脚部
【図１】
2007146503.tif 000003
【図２】
2007146503.tif 000004
【図３】
2007146503.tif 000005
【図４】
2007146503.tif 000006
【図５】
2007146503.tif 000007
【図６】
2007146503.tif 000008
【図７】
2007146503.tif 000009
【図８】
2007146503.tif 000010
【図９】
2007146503.tif 000011